(57)【要約】【課題】その時点で必要とされる投影動作に柔軟に対応し、本来のプレゼンテーションや会議等の集中を削いでしまうのを確実に防止する。【解決手段】入力したモニタ画像を今回モニタ画像記憶部A2で記憶し、この今回モニタ画像記憶部A2で記憶していた画像信号を前回モニタ画像記憶部A1で記憶し、これらの画像信号の比較により変化のない場合に今回モニタ画像記憶部A2の画像信号を書画台の画像を記憶した書画台画像記憶部A3の画像信号と比較して書画台に何も載置されない状態を検出し、その検出状態をタイマA8で計時し、その計時内容が予め設定した値となると全面黒色の画像信号を出力する。【選択図】      図５
2006165905.tif 000002
【特許請求の範囲】
【請求項１】
画像信号を入力する入力手段と、
この入力手段で入力した画像信号を出力する出力手段と、
上記入力手段で入力する画像信号を予め記憶した所定の画像信号と比較する比較手段と、
この比較手段の比較結果により予め記憶した所定の画像信号と一致した場合、上記入力手段で入力した画像信号が上記所定の画像信号と一致する状態を計時する計時手段と、
この計時手段での計時内容に基づき、上記入力手段で入力した画像信号に代えて予め用意した画像信号を上記出力手段で出力させる出力制御手段と
を具備したことを特徴とする画像入出力装置。
【請求項２】
上記入力手段で入力する画像信号を保持する第１の保持手段と、
この第１の保持手段での保持動作に応じ、それまで保持していた画像信号を保持する第２の保持手段と、
これら第１及び第２の保持手段の保持する画像信号を比較して変化の有無を判断する判断手段とをさらに具備し、
上記比較手段は、この判断手段の判断結果により変化がない場合、上記入力手段で入力する画像信号を予め記憶した所定の画像信号と比較し、
上記出力手段は、上記比較手段の比較結果により予め記憶した所定の画像信号と一致した場合、上記入力手段で入力した画像信号を出力し、
上記計時手段は、上記比較手段の比較結果により予め記憶した所定の画像信号と一致した場合、上記入力手段で入力した画像信号が予め記憶した所定の画像信号と一致する状態を計時する
ことを特徴とする請求項１記載の画像入出力装置。
【請求項３】
上記出力制御手段は、上記入力手段で入力した画像信号に代えて予め用意した全面黒色の画像信号を上記出力手段により出力させることを特徴とする請求項１記載の画像入出力装置。
【請求項４】
画像信号を入力する入力工程と、
この入力工程で入力した画像信号を出力する出力工程と、
上記入力工程で入力する画像信号を予め記憶した所定の画像信号と比較する比較工程と、
この比較工程で比較結果により予め記憶した所定の画像信号と一致した場合、上記入力工程で入力した画像信号が上記所定の画像信号と一致する状態を計時する計時工程と、
この計時工程での計時内容に基づき、上記入力工程で入力した画像信号に代えて予め用意した画像信号を上記出力工程で出力させる出力制御工程と
を有したことを特徴とする画像入出力方法。
【請求項５】
画像信号を入力する入力ステップと、
この入力ステップで入力した画像信号を出力する出力ステップと、
上記入力ステップで入力する画像信号を予め記憶した所定の画像信号と比較する比較ステップと、
この比較ステップで比較結果により予め記憶した所定の画像信号と一致した場合、上記入力ステップで入力した画像信号が上記所定の画像信号と一致する状態を計時する計時ステップと、
この計時ステップでの計時内容に基づき、上記入力ステップで入力した画像信号に代えて予め用意した画像信号を上記出力ステップで出力させる出力制御ステップと
をコンピュータに実行させることを特徴とするプログラム。
【発明の詳細な説明】
【技術分野】
【０００１】
本発明は、例えばプレゼンテーションや会議等に使用する書画カメラとパーソナルコンピュータ、及びプロジェクタ装置からなるシステム等に好適な画像入出力装置、画像入出力方法及びプログラムに関する。
【背景技術】
【０００２】
従来、書画カメラと呼ばれる書類台付きのカメラを、パーソナルコンピュータ及びプロジェクタ装置と接続し、上記書類台に載置した書類の画像を随時撮影してそのまま投影表示するようにしたものがある。
【０００３】
この書画カメラは、通常パーソナルコンピュータにインストールする専用のドライバソフトにより２つの動作モードを有しており、その一方の動作モードでは、その時点でカメラが撮影している画像をそのままリアルタイムに動画によるモニタ画像として投影表示する。
【０００４】
また、他方の動作モードでは、書画台への新たな書類の載置を常時検出しており、新たに書類が載置されたと検出した時点で静止画撮影を行ない、撮影した静止画を結像して投影表示する。
【０００５】
さらに上記一般的な書画カメラとは別に、予め複数のページからなる原稿を並列して台に配置しておき、複数のページ画像を一括撮影してその撮影画像中から個々のページを識別し、ページ単位で画像を出力するようにした書画カメラの技術が考えられている。（例えば、特許文献１）
【特許文献１】特開２００３−０７８７２４号公報
【発明の開示】
【発明が解決しようとする課題】
【０００６】
しかしながら、上記一方の動作モードは、書画台上に載置される書類の有無やその時点での投影の必要性等に関係なく、無条件に書画台上の画像を撮影してその画像信号を出力し、投影に供するものであり、その動作にプレゼンテーションや会議等の内容は一切考慮されない。
【０００７】
また、上記他方の動作モードでは、次の書類をあらたに載置するまでは前の書類の画像の投影を続行する。そのため、投影の必要がなくなった書類を書画台から取り除いても、次の書類を書画台に載置するまでは前の書類の画像が依然として投影され続けることになり、かえって画像の投影がプレゼンテーション等での意識の集中を阻害してしまうことも多々あり得る。
【０００８】
また、上記特許文献１に記載された技術も、限られたページ数の画像を切換える場合にのみ有効なものであり、上述したような、一時的に画像の投影が必要ない状態での投影の制御等については考慮されていない。
【０００９】
本発明は上記のような実情に鑑みてなされたもので、その目的とするところは、その時点で必要とされる投影動作に柔軟に対応し、本来のプレゼンテーションや会議等の集中を削ぐことのない画像入出力装置、画像入出力方法及びプログラムを提供することにある。
【課題を解決するための手段】
【００１０】
請求項１記載の発明は、画像信号を入力する入力手段と、この入力手段で入力した画像信号を出力する出力手段と、上記入力手段で入力する画像信号を予め記憶した所定の画像信号と比較する比較手段と、この比較手段の比較結果に予め記憶した所定の画像信号と一致した場合、上記入力手段で入力した画像信号が上記所定の画像信号と一致する状態を計時する計時手段と、この計時手段での計時内容に基づき、上記入力手段で入力した画像信号に代えて予め用意した画像信号を上記出力手段で出力させる出力制御手段とを具備したことを特徴とする。
【００１１】
請求項２記載の発明は、上記請求項１記載の発明において、上記入力手段で入力する画像信号を保持する第１の保持手段と、この第１の保持手段での保持動作に応じ、それまで保持していた画像信号を保持する第２の保持手段と、これら第１及び第２の保持手段の保持する画像信号を比較して変化の有無を判断する判断手段とをさらに具備し、上記比較手段は、この判断手段の判断結果により変化がない場合、上記入力手段で入力する画像信号を予め記憶した所定の画像信号と比較し、上記出力手段は、上記比較手段の比較結果により予め記憶した所定の画像信号と一致した場合、上記入力手段で入力した画像信号を出力し、上記計時手段は、上記比較手段の比較結果により予め記憶した所定の画像信号と一致した場合、上記入力手段で入力した画像信号が予め記憶した所定の画像信号と一致する状態を計時することを特徴とする。
【００１２】
請求項３記載の発明は、上記請求項１記載の発明において、上記出力制御手段は、上記入力手段で入力した画像信号に代えて予め用意した全面黒色の画像信号を上記出力手段により出力させることを特徴とする。
【００１３】
請求項４記載の発明は、画像信号を入力する入力工程と、この入力工程で入力した画像信号を出力する出力工程と、上記入力工程で入力する画像信号を予め記憶した所定の画像信号と比較する比較工程と、この比較工程で比較結果により予め記憶した所定の画像信号と一致した場合、上記入力工程で入力した画像信号が上記所定の画像信号と一致する状態を計時する計時工程と、この計時工程での計時内容に基づき、上記入力工程で入力した画像信号に代えて予め用意した画像信号を上記出力工程で出力させる出力制御工程とを有したことを特徴とする。
【００１４】
請求項５記載の発明は、画像信号を入力する入力ステップと、この入力ステップで入力した画像信号を出力する出力ステップと、上記入力ステップで入力する画像信号を予め記憶した所定の画像信号と比較する比較ステップと、この比較ステップで比較結果により予め記憶した所定の画像信号と一致した場合、上記入力ステップで入力した画像信号が上記所定の画像信号と一致する状態を計時する計時ステップと、この計時ステップでの計時内容に基づき、上記入力ステップで入力した画像信号に代えて予め用意した画像信号を上記出力ステップで出力させる出力制御ステップとをコンピュータに実行させることを特徴とする。
【発明の効果】
【００１５】
請求項１記載の発明によれば、入力される画像信号が所定の画像信号と一致する時間を計時して不必要な画像信号が一定時間以上出力されてしまうのを停止し、代わって予め用意した画像信号を出力させるようにしたもので、その時点で必要とされる投影動作に柔軟に対応し、本来のプレゼンテーションや会議等の集中を削いでしまうのを確実に防止することができる。
【００１６】
請求項２記載の発明によれば、上記請求項１記載の発明の効果に加えて、入力される画像信号に変化があり、且つ所定の画像信号ではない場合にこれを出力する動作モードにおいて、該所定の画像信号が入力される時間を計時して不必要な画像信号の出力を停止し、代わって予め用意した画像信号を出力させるようにしたもので、その時点で必要とされる投影動作に柔軟に対応し、本来のプレゼンテーションや会議等の集中を削いでしまうのを確実に防止することができる。
【００１７】
請求項３記載の発明によれば、上記請求項１記載の発明の効果に加えて、投影動作が不必要と思われる場合に全面黒色の画像を投影することにより、実際には投影動作を続行していながらも、投影内容からは投影動作を停止しているように見えるため、投影装置の光源ランプ等を消耗してしまうことなく、元の投影動作に速やかに復帰することができる。
【００１８】
請求項４記載の発明によれば、入力される画像信号が所定の画像信号と一致する時間を計時して不必要な画像信号が一定時間以上出力されてしまうのを停止し、代わって予め用意した画像信号を出力させるようにしたもので、その時点で必要とされる投影動作に柔軟に対応し、本来のプレゼンテーションや会議等の集中を削いでしまうのを確実に防止することができる。
【００１９】
請求項５記載の発明によれば、入力される画像信号が所定の画像信号と一致する時間を計時して不必要な画像信号が一定時間以上出力されてしまうのを停止し、代わって予め用意した画像信号を出力させるようにしたもので、その時点で必要とされる投影動作に柔軟に対応し、本来のプレゼンテーションや会議等の集中を削いでしまうのを確実に防止することができる。
【発明を実施するための最良の形態】
【００２０】
以下本発明を書画カメラ装置、パーソナルコンピュータ（ＰＣ）、及びデータプロジェクタ装置からなる撮像投影システムに適用した場合について図面を参照して説明する。
【００２１】
図１は、その外観と接続構成を示すものである。書画カメラ装置１とＰＣ２とがＵＳＢ（Ｕｎｉｖｅｒｓａｌ  Ｓｅｒｉａｌ  Ｂｕｓ）ケーブル４で接続され、書画カメラ装置１でその書画台１ａ上に載置された書類の画像が常時撮影され、デジタル値の画像信号としてＵＳＢケーブル４を介し、アイソクロナス転送によりリアルタイムにＰＣ２に送られる。
【００２２】
このＰＣ２は、書画カメラ装置１に付属している記録媒体、例えばＣＤ−ＲＯＭ６によりこの書画カメラ装置１用のドライブプログラムを予めインストールしており、同プログラムを実行することにより、書画カメラ装置１から送られてくる画像信号に対応したアナログ値の画像信号を生成し、ＲＧＢケーブル５を介してデータプロジェクタ装置３へ送出する。
【００２３】
データプロジェクタ装置３は、例えばマイクロミラー素子を用いて送られてきた画像信号に対応する光像を形成し、投影対象となるスクリーンに各種画像を投影表示する。
【００２４】
図２は、上記書画カメラ装置１の回路構成を示すものである。同図で、後述するスルー表示モード時に、モータ（Ｍ）１１の駆動によりズーム画角や絞り位置等が移動される、レンズ光学系１２の撮影光軸後方に撮像素子であるＣＣＤ１３が配置される。このＣＣＤ１３は、タイミング発生器（ＴＧ）１４、垂直ドライバ１５によって走査駆動され、一定周期毎に結像した光像に対応する光電変換出力を１画面分出力する。
【００２５】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒ（ＹＵＶ信号）が生成され、ＤＭＡ（Ｄｉｒｅｃｔ  Ｍｅｍｏｒｙ  Ａｃｃｅｓｓ）コントローラ１９に出力される。
【００２６】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００２７】
制御部２２は、ＣＰＵと、このＣＰＵで実行される動作プログラムを固定的に記憶したＲＯＭ、及びワークメモリとして使用されるＲＡＭ等により構成され、この書画カメラ装置１全体の制御動作を司るもので、上記輝度及び色差信号のＤＲＡＭ２１へのＤＭＡ転送終了後に、この輝度及び色差信号（ＹＵＶ信号）をＤＲＡＭインタフェース２０を介してＤＲＡＭ２１より読出し、ＵＳＢインタフェース（Ｉ／Ｆ）２３へ送出する。
【００２８】
ＵＳＢインタフェース２３は、上記輝度及び色差信号をＵＳＢ規格に則ってアイソクロナス転送により上記ＵＳＢケーブル４を介してリアルタイムにＰＣ２に送出する。
【００２９】
なお、後述する静止表示モード時にＰＣ２からＵＳＢインタフェース２３を介して撮影指示を受信すると、制御部２２はその時点でＣＣＤ１３から取込んでいる１画面分の輝度及び色差信号のＤＲＡＭ２１へのＤＭＡ転送を取り止め、あらためて適正な露出条件に従った絞り値及びシャッタ速度と解像度でＣＣＤ１３を走査駆動して１画面分の輝度及び色差信号を得てＤＲＡＭ２１へ転送する。
【００３０】
このＤＲＡＭ２１に転送された１フレーム分の輝度及び色差信号をＤＲＡＭインタフェース２０を介してＵＳＢインタフェース２３へ送出し、あらためてＵＳＢインタフェース２３がこれらの信号をＰＣ２へ送出する。このＰＣ２への画像信号の送出後、再び制御部２２はスルー表示状態に復帰して、ＣＣＤ１３からＤＲＡＭ２１への経路を再び起動する。
【００３１】
なお、制御部２２にはキー入力部２４が接続されるもので、このキー入力部２４を構成する電源キー等のキー操作信号は直接制御部２２に入力される。
【００３２】
次に図３によりＰＣ２の構成について説明する。図３はこのＰＣ２のハードウェア構成を示すものであり、各種処理制御を司るＣＰＵ３１とフロントサイドバスＦＳＢを介してノースブリッジ３２が接続される。
【００３３】
このノースブリッジ３２は、さらにメモリバスＭＢを介してメインメモリ３３と、またグラフィクスインタフェースＡＧＰを介してグラフィックコントローラ３４及びグラフィックメモリ３５と接続される他、サウスブリッジ３６とも接続され、主としてこれらの間での入出力制御を実行する。
【００３４】
サウスブリッジ３６は、ＰＣＩバス３７、キーボード／マウス３８、ビデオエンコーダ３９、ＵＳＢインタフェース４０、マルチＣＤドライブ４１、ハードディスク装置（ＨＤＤ）４２と接続され、主としてこれら周辺回路とノースブリッジ３２との間の入出力制御を行なう。
【００３５】
なお、これらＰＣ２を構成する個々の要素は、きわめて一般的な技術であるのでその説明は省略するものとする。
【００３６】
なお、ビデオエンコーダ３９は、与えられたデジタル値の画像信号からアナログ値の画像信号であるＲＧＢビデオ信号を生成して出力する。
【００３７】
ＨＤＤ４２は、ＯＳ（オペレーティングシステム）や各種アプリケーションプログラム、データファイルと共に、マルチＣＤドライブ４１に上記ＣＤ−ＲＯＭ６を装着してインストールした書画カメラ装置１用のドライブプログラムを予め記憶している。
【００３８】
次いで図４を用いて上記データプロジェクタ装置３の回路構成について説明する。  
図中、入出力コネクタ部５１より入力されたＲＧＢビデオ信号を含む各種規格の画像信号が、入出力インタフェース（Ｉ／Ｆ）５２、システムバスＳＢを介して画像変換部５３で所定のフォーマットの画像信号に統一された後に、投影エンコーダ５４へ送られる。
【００３９】
投影エンコーダ５４は、送られてきた画像信号をビデオＲＡＭ５５に展開記憶させた上でこのビデオＲＡＭ５５の記憶内容からビデオ信号を生成して投影駆動部５６に出力する。
【００４０】
この投影駆動部５６は、送られてきた画像信号に対応して適宜フレームレート、例えば例えば１２０［フレーム／秒］と色成分の分割数、及び表示階調数を乗算した、より高速な時分割駆動で空間的光変調素子（ＳＯＭ）である例えばマイクロミラー素子５７を表示駆動する。
【００４１】
このマイクロミラー素子５７に対して、リフレクタ５８内に配置された光源ランプ５９が出射する高輝度の白色光を、カラーホイール６０を介して適宜原色に着色し、インテグレータ６１、ミラー６２を介して照射することで、その反射光で光像が形成され、投影レンズ６３を介してここでは図示しないスクリーンに投影表示される。
【００４２】
しかるに、光源ランプ５９の点灯駆動と、カラーホイール６０を回転駆動するモータ（Ｍ）６４はいずれも投影光処理部６５からの供給電圧値に基づいて動作する。
【００４３】
上記各回路のすべての動作制御を司るのが制御部６６である。この制御部６６は、ＣＰＵと、後述する投影動作、撮影動作の処理を含む該ＣＰＵで実行される動作プログラムを記憶した不揮発性メモリ、及びワークメモリ等により構成される。
【００４４】
この制御部３５にはまた、システムバスＳＢを介して音声処理部６７が接続される。  
音声処理部６７は、ＰＣＭ音源等の音源回路を備え、投影動作時に与えられる音声データをアナログ化し、スピーカ６８を駆動して拡声放音し、あるいは必要によりビープ音を発生させる。
【００４５】
なお、このデータプロジェクタ装置３に備えられるキースイッチ部６９における各キー操作信号が直接制御部６６５に入力されると共に、Ｉｒ受信部７０からの信号も直接入力される。このＩｒ受信部７０は、データプロジェクタ装置３の前面及び背面にそれぞれ設けられるもので、その赤外光受信信号をコード信号化して制御部６６に送出する。
【００４６】
次に上記実施の形態の動作について説明する。  
図５は、上記ＨＤＤ４２にインストールされた書画カメラ装置１用のドライブプログラムを起動した際に、ＣＰＵ３１がメインメモリ３３上に構築する当該ドライバプログラムＤＰの機能構成を例示するものである。
【００４７】
図示する如くドライバプログラムＤＰでは、前回モニタ画像記憶部Ａ１、今回モニタ画像記憶部Ａ２、書画台画像記憶部Ａ３、画像ファイル履歴記憶部Ａ４、画像処理履歴記憶部Ａ５、画像処理部Ａ６、出力画像記憶部Ａ７、タイマＡ８、及びフラグ（Ｆ）レジスタＡ９の各領域をメインメモリ３３上に構築する。
【００４８】
前回モニタ画像記憶部Ａ１及び今回モニタ画像記憶部Ａ２は、順次書画カメラ装置１から送られてくるモニタ画像の画像ファイルを入力順序に対応して保持するものである。  
書画カメラ装置１から１フレーム分の画像ファイルが送られてきた時点でその画像ファイルを今回モニタ画像記憶部Ａ２に更新記憶し、それまで今回モニタ画像記憶部Ａ２に記憶されていた画像ファイルは前回モニタ画像記憶部Ａ１に転送記憶させるようになるもので、これら前回モニタ画像記憶部Ａ１と今回モニタ画像記憶部Ａ２の記憶内容を比較することにより、書画カメラ装置１の書画台１ａに載置された画像に変化が生じたか否かを判断する。
【００４９】
書画台画像記憶部Ａ３は、上記書画カメラ装置１の書画台１ａに何も載置していない状態の台そのものの画像ファイルを固定記憶するものである。
【００５０】
画像ファイル履歴記憶部Ａ４は、上記前回モニタ画像記憶部Ａ１及び今回モニタ画像記憶部Ａ２に記憶された画像ファイルの履歴情報を記憶する。
【００５１】
画像処理履歴記憶部Ａ５は、後述する画像処理部Ａ６での各種画像処理結果に基づく履歴情報を記憶する。
【００５２】
画像処理部Ａ６は、歪み補正部Ａ６ａ、輪郭抽出部Ａ６ｂ、アフィン変換部Ａ６ｃ、切抜き部Ａ６ｄ、及び鮮明化部Ａ６ｅを有する。
【００５３】
歪み補正部Ａ６ａは、入力されてきた画像ファイルに対して自動台形補正処理によりその縦横各方向の歪みを矯正して本来の矩形となるようにする。
【００５４】
輪郭抽出部Ａ６ｂは、上記歪み補正部Ａ６ａで歪みが補正された画像ファイル中の輪郭抽出を行ない、上記書画カメラ装置１の書画台１ａに載置された書類の画像中の本来必要な部分を判断する。
【００５５】
アフィン変換部Ａ６ｃは、上記輪郭抽出部Ａ６ｂで輪郭抽出した画像部分にアフィン変換を施すことで画像の傾き等を補正する。
【００５６】
切抜き部Ａ６ｄは、上記アフィン変換部Ａ６ｃでの処理後の画像ファイルから上記輪郭抽出部Ａ６ｂで抽出した輪郭にしたがって不要部分をカットする。
【００５７】
鮮明化部Ａ６ｅは、上記切抜き部Ａ６ｄで不要部分がカットされた画像中の不鮮明な部分を色彩強調等により鮮明化する。
【００５８】
出力画像記憶部Ａ７は、上記画像処理部Ａ６で各種画像処理により投影に適した状態とされた画像ファイルを記憶保持する。
【００５９】
タイマＡ８は、後述する静止表示モード及びスルー表示モードで、上記今回モニタ画像記憶部Ａ２に入力されるモニタ画像が上記書画台画像記憶部Ａ３に記憶される書画台の画像である状態を計時する。
【００６０】
フラグレジスタＡ９は、上記タイマＡ８の計時内容が予め設定した値、例えば１２０［秒］を経過し、前面黒色の黒画像ファイルを代わって出力する状態であるか否かを設定記憶する。
【００６１】
図６は、ＰＣ２で上記書画カメラ装置１用のドライバプログラムＤＰを起動し、環境設定を行なう場合の表示画面を例示するものである。同図では、「ボードエリア撮影」「ＰＣ画像表示」「カメラ画像表示」「スキャナ」「共通」「書画カメラ」及び「プロジェクションエリア撮影」の各目次が表示され、その中の「書画カメラ」を選択して対応する各所項目が表示されている状態を示している。
【００６２】
これら項目中、「動作設定」を「手動撮影」ではなく「自動撮影」側に選択設定することで、書画カメラ装置１で書画台１ａに載置されている書類の画像撮影を自動化することができる。
【００６３】
このとき、この「自動設定」の選択に伴なって、「モニタ画像を投映する」チェックボックスにチェックを入れるか否かにより、スルー表示モードと静止表示モードを選択設定可能となるもので、図６（Ａ）は当該チェックボックスにチェックを入れたスルー画像モードを選択した状態を、図６（Ｂ）は当該チェックボックスのチェックを外した静止表示モードを選択した状態をそれぞれ示す。
【００６４】
図６（Ａ）のスルー表示モードでは、基本的に書画カメラ装置１の書画台１ａ上の画像をリアルタイムに投影表示する。  
一方、図６（Ｂ）の静止表示モードでは、基本的に書画カメラ装置１の書画台１ａにあらたな書類が載置された状態でその画像を撮影し、以後次の新たな書類が載置されるまでは撮影した画像を静止状態で投影表示する。
【００６５】
続いて具体的な各モードでの動作について説明する。  
図７は、上記図６（Ｂ）の設定状態で示す静止表示モードでの処理内容を示すものである。  
なお、このとき書画カメラ装置１からＰＣ２へは、所定のフレームレート、例えば３０［フレーム／秒］で、画素数を間引いた例えばＱＶＧＡ（３２０ドット×２４０ドット）のモニタ画像の画像ファイルが入力され続ける。
【００６６】
その当初には、ドライバプログラムＤＰのタイマＡ８の計時内容をクリアした後（ステップＰ０１）、書画カメラ装置１から送られてくるモニタ画像の画像ファイルを受取り（ステップＰ０２）、受取った画像ファイルを今回モニタ画像記憶部Ａ２に保存する（ステップＰ０３）。このとき、それまで今回モニタ画像記憶部Ａ２にそれまで保存していた画像ファイルがあれば、自動的に前回モニタ画像記憶部Ａ１に転送して保存される。
【００６７】
ここで、前回モニタ画像記憶部Ａ１に画像ファイルが保存されているか否かを判断し（ステップＰ０４）、保存されていなければ上記ステップＰ０２からの処理に戻る。
【００６８】
しかして、上記ステップＰ０４で前回モニタ画像記憶部Ａ１にも画像ファイルが保存されていると判断すると、これら前回モニタ画像記憶部Ａ１及び今回モニタ画像記憶部Ａ２に保存されている２つの画像ファイルの内容を比較し（ステップＰ０５）、画像に変化が見られるか否かを判断する（ステップＰ０６）。
【００６９】
ここで、２つの画像に変化が見られると判断した場合には、書画カメラ装置１の書画台１ａ上では何らかの変化が生じているものとして、再び上記ステップＰ０１からの処理に戻る。
【００７０】
しかして、ステップＰ０１〜Ｐ０６の処理を繰返し実行する過程で、前回モニタ画像記憶部Ａ１に保存した画像と今回モニタ画像記憶部Ａ２に保存した画像とで変化が見られない場合、ステップＰ０６でこれを判断し、次に書画台画像記憶部Ａ３に固定記憶している書画台画像を今回モニタ画像記憶部Ａ２の画像と比較し（ステップＰ０７）、２つの画像に相違があるか否かを判断する（ステップＰ０８）。
【００７１】
ここで、今回モニタ画像記憶部Ａ２に保存した画像と書画台画像記憶部Ａ３の画像とに相違が見られない場合、書画台１ａ上には書類が載置されていないものとし、直前のステップＰ０１での処理でクリアしたタイマＡ８の計時値をカウントアップさせると共に（ステップＰ１４）、そのカウントアップしたタイマＡ８の計時値が予め設定した値、例えば１２０［秒］以上となったか否かを判断する（ステップＰ１５）。
【００７２】
ここで、タイマＡ８の計時値が予め設定した値を超えていないと判断した場合には、再び上記ステップＰ０２からの処理に戻り、同様にステップＰ０２〜Ｐ０８，Ｐ１４，Ｐ１５の処理を繰返し実行することで、書画台１ａ上に書類が載置されていない状態をタイマＡ８により計時していく。
【００７３】
しかして、タイマＡ８での計時を行なっている途中で今回モニタ画像記憶部Ａ２に保存した画像と前回モニタ画像記憶部Ａ１に保存した画像に変化が見られた場合、新たに書画台１ａ上に書類が載置されたことになるので、ステップＰ０６でこれを判断して上記ステップＰ０１からの処理に戻り、タイマＡ８の計時値はクリアされる。
【００７４】
しかして、新たな書類が書画台１ａ上に載置された後、画像に変化が見られないとステップＰ０６で判断し、さらに今回モニタ画像記憶部Ａ２に保存した画像が書画台画像記憶部Ａ３に記憶した書画台のものでもないとステップＰ０８で判断すると、ＰＣ２から書画カメラ装置１へ自動的に撮影を指示する制御信号が送出される。
【００７５】
これを受けた書画カメラ装置１は、上記のような画素を間引いたモニタ画像の撮影ではなく、ＣＣＤ１３の構成画素数をフルに活かした高解像度で書画台１ａ上に載置された書類の画像を撮影してその画像ファイルをＰＣ２へ送信する。
【００７６】
撮影の指示に伴って書画カメラ装置１から画像ファイルを受信したＰＣ２は、上記画像処理部Ａ６の歪み補正部Ａ６ａ、輪郭抽出部Ａ６ｂ、アフィン変換部Ａ６ｃ、切抜き部Ａ６ｄ、及び鮮明化部Ａ６ｅにより受信した画像に対して適宜画像処理を施した上で得た画像ファイルを出力画像記憶部Ａ７に保持し、この出力画像記憶部Ａ７に保持した画像ファイルに基づいてＲＧＢビデオ信号を生成してデータプロジェクタ装置３に出力し、データプロジェクタ装置３でその画像を投影表示させる（ステップＰ０９）。
【００７７】
その後、書画カメラ装置１から送られてくるモニタ画像の画像ファイルを受取り（ステップＰ１０）、受取った画像ファイルを今回モニタ画像記憶部Ａ２に保存する（ステップＰ１１）。このとき、それまで画像ファイル履歴記憶部Ａ４に保存していた画像ファイルは自動的に前回モニタ画像記憶部Ａ１に転送して保存される。
【００７８】
ここで、これら前回モニタ画像記憶部Ａ１及び今回モニタ画像記憶部Ａ２に保存されている２つの画像ファイルの内容を比較し（ステップＰ１２）、画像に変化が見られるか否かを判断する（ステップＰ１３）。
【００７９】
ここで、２つの画像に変化が見られないと判断した場合には、書画カメラ装置１の書画台１ａ上に載置された書類に動きがないものとして、上記ステップＰ０９での各種画像処理を施した静止画像の投影表示状態を維持したまま、上記ステップＰ１０〜Ｐ１３の処理を繰返し実行することで、書画台１ａ上に何らかの変化が生じるのを待機する。
【００８０】
その後、書画台１ａ上から書類がなくなると、その過程で画像に変化が見られるものと上記ステップＰ１３で判断し、再び上記ステップＰ０１からの処理に戻る。
【００８１】
しかして、そのまま書画台１ａ上に何も書類が載置されないと、再び上記ステップＰ０２〜Ｐ０８，Ｐ１４，Ｐ１５の処理を繰返し実行し、何も書類が載置されない状態をタイマＡ８により計時していく。
【００８２】
このとき、出力画像記憶部Ａ７の内容はそれまで載置されていた書類の画像であり、上記ステップＰ０９での処理により出力画像記憶部Ａ７に保持した画像に基づくデータプロジェクタ装置３での投影表示は続行される。
【００８３】
そして、タイマＡ８の計時値が予め設定した値、例えば１２０［秒］以上となると、ステップＰ１５でこれを判断し、それまでの出力画像記憶部Ａ７の画像に基づく投影表示を一時停止させ、代わって全面黒色の画像を投影表示させるべくそのＲＧＢビデオ信号をデータプロジェクタ装置３へ出力し（ステップＰ１６）、上記ステップＰ０２に戻る。
【００８４】
このときデータプロジェクタ装置３では、入力されるＲＧＢビデオ信号によりマイクロミラー素子５７を表示駆動するものの、実際にはＲＧＢ各色成分ともその表示階調は全面で「０（ゼロ）」であり、光源ランプ５９からの照射光を投影レンズ６３に出射しないように反射させるため、投影レンズ６３からは一切、光像が出射されることはなく、当然ながら図示しないスクリーン上は全面に何も投影されない。
【００８５】
このように、書画カメラ装置１の書画台１ａに何も書類が載置されない状態が予め設定した時間以上継続した場合、換言すれば、この書画カメラ装置１、ＰＣ２、及びデータプロジェクタ装置３からなる撮像投影システムを使用しているユーザがプレゼンテーションあるいは会議等でその前に使用していた書類を書画台１ａから外し、次に何の書類も載置しないような、投影表示を一時的に必要としていないと判断される状態では、一時的にデータプロジェクタ装置３での投影表示を一時的に停止し、そのプレゼンテーションや会議等に参加している人々が不要に投影表示の内容に注意してしまうことのないようにすることで、それら人々の集中を削いでしまうのを確実に防止するようにする。
【００８６】
しかるに、上記投影表示を一時的に停止する状態では、全面黒色の表示を行なったが、これに代えて、例えば予め設定した静止画像、例えばプレゼンテーションで客先の会社名のロゴ画像等を表示するものとしてもよい。
【００８７】
しかしながら、あえて全面黒色の画像を表示するものとしたことで、見かけ上はデータプロジェクタ装置３の投影動作自体が停止することにより、その時点での人々の注意を不要に投影内容に向けてしまうのを確実に防止できる。
【００８８】
加えて、黒色画像の投影動作によりマイクロミラー素子５７での表示駆動、光源ランプ５９の発光等の動作は継続して実行されるため、データプロジェクタ装置３の価格に比して非常に高価な光源ランプ５９の寿命を短くしてしまうようなこともなく、必要に応じて投影動作を再開する場合には即時復帰することができる。
【００８９】
次に図８により上記図６（Ａ）の設定状態で示すスルー表示モードでの動作について説明する。
【００９０】
なお、このとき書画カメラ装置１からＰＣ２へは、所定のフレームレート、例えば３０［フレーム／秒］で、画素数を間引いた例えばＱＶＧＡ（３２０ドット×２４０ドット）のモニタ画像の画像ファイルが入力され続ける。
【００９１】
その当初には、ドライバプログラムＤＰのタイマＡ８の計時内容をクリアし、合わせてフラグレジスタＡ９のフラグを解除設定して“０”とした後（ステップＴ０１）、書画カメラ装置１から送られてくるモニタ画像の画像ファイルを受取る（ステップＴ０２）。
【００９２】
このとき、フラグレジスタＡ９にフラグ“１”がセットされているか否かを判断し（ステップＴ０３）、セットされていると判断した場合にのみ、上記受け取った画像ファイルをそのまま出力画像記憶部Ａ７に記憶させてデータプロジェクタ装置３で投影表示させる（ステップＴ０４）。
【００９３】
その後、上記受け取った画像ファイルを今回モニタ画像記憶部Ａ２に保存する（ステップＴ０５）。このとき、画像ファイル履歴記憶部Ａ４に保存していた画像ファイルがあれば、自動的に前回モニタ画像記憶部Ａ１に転送して保存される。
【００９４】
ここで、前回モニタ画像記憶部Ａ１に画像ファイルが保存されているか否かを判断し（ステップＴ０６）、保存されていなければ上記ステップＴ０２からの処理に戻る。
【００９５】
しかして、上記ステップＴ０６で前回モニタ画像記憶部Ａ１にも画像ファイルが保存されていると判断すると、これら前回モニタ画像記憶部Ａ１及び今回モニタ画像記憶部Ａ２に保存されている２つの画像ファイルの内容を比較し（ステップＴ０７）、画像に変化が見られるか否かを判断する（ステップＴ０８）。
【００９６】
ここで、２つの画像に変化が見られると判断した場合には、書画カメラ装置１の書画台１ａ上では何らかの変化が生じているものとして、再び上記ステップＴ０１からの処理に戻る。
【００９７】
しかして、ステップＴ０１〜Ｔ０８の処理を繰返し実行し、モニタ画像をそのままデータプロジェクタ装置３で投影表示し続ける過程で、前回モニタ画像記憶部Ａ１に保存した画像と今回モニタ画像記憶部Ａ２に保存した画像とで変化が見られない場合、ステップＴ０８でこれを判断し、次に書画台画像記憶部Ａ３に固定記憶している書画台画像を今回モニタ画像記憶部Ａ２の画像と比較し（ステップＴ０９）、２つの画像に相違があるか否かを判断する（ステップＴ１０）。
【００９８】
ここで、今回モニタ画像記憶部Ａ２に保存した画像と書画台画像記憶部Ａ３の画像とに相違が見られない場合、書画台１ａ上には書類が載置されていないものとし、直前のステップＴ１での処理でクリアしたタイマＡ８の計時値をカウントアップさせると共に（ステップＴ１７）、そのカウントアップしたタイマＡ８の計時値が予め設定した値、例えば１２０［秒］以上となったか否かを判断する（ステップＴ１８）。
【００９９】
ここで、タイマＡ８の計時値が予め設定した値を超えていないと判断した場合には、再び上記ステップＴ０２からの処理に戻り、同様にステップＴ０２〜Ｔ１０，Ｔ１７，Ｔ１８の処理を繰返し実行することで、書画台１ａ上に書類が載置されていない状態をタイマＡ８により計時していく。
【０１００】
しかして、タイマＡ８での計時を行なっている途中で今回モニタ画像記憶部Ａ２に保存した画像と前回モニタ画像記憶部Ａ１に保存した画像に変化が見られた場合、新たに書画台１ａ上に書類が載置されたことになるので、ステップＴ０８でこれを判断して上記ステップＴ０１からの処理に戻り、タイマＡ８の計時値はクリアされる。
【０１０１】
しかして、新たな書類が書画台１ａ上に載置された後、画像に変化が見られないとステップＴ０８で判断し、さらに今回モニタ画像記憶部Ａ２に保存した画像が書画台画像記憶部Ａ３に記憶した書画台のものでもないとステップＴ１０で判断すると、ＰＣ２から書画カメラ装置１へ自動的に撮影を指示する制御信号が送出される。
【０１０２】
これを受けた書画カメラ装置１は、上記のような画素を間引いたモニタ画像の撮影ではなく、ＣＣＤ１３の構成画素数をフルに活かした高解像度で書画台１ａ上に載置された書類の画像を撮影してその画像ファイルをＰＣ２へ送信する。
【０１０３】
撮影の指示に伴って書画カメラ装置１から画像ファイルを受信したＰＣ２は、上記画像処理部Ａ６の歪み補正部Ａ６ａ、輪郭抽出部Ａ６ｂ、アフィン変換部Ａ６ｃ、切抜き部Ａ６ｄ、及び鮮明化部Ａ６ｅにより受信した画像に対して適宜画像処理を施した上で得た画像ファイルを出力画像記憶部Ａ７に保持し、この出力画像記憶部Ａ７に保持した画像ファイルに基づいてＲＧＢビデオ信号を生成してデータプロジェクタ装置３に出力し、データプロジェクタ装置３でその画像を投影表示させる（ステップＴ１１）。
【０１０４】
その後、書画カメラ装置１から送られてくるモニタ画像の画像ファイルを受取り（ステップＴ１２）、受取った画像ファイルを今回モニタ画像記憶部Ａ２に保存する（ステップＴ１３）。このとき、それまで画像ファイル履歴記憶部Ａ４に保存していた画像ファイルは自動的に前回モニタ画像記憶部Ａ１に転送して保存される。
【０１０５】
ここで、これら前回モニタ画像記憶部Ａ１及び今回モニタ画像記憶部Ａ２に保存されている２つの画像ファイルの内容を比較し（ステップＴ１４）、画像に変化が見られるか否かを判断する（ステップＴ１５）。
【０１０６】
ここで、２つの画像に変化が見られないと判断した場合には、書画カメラ装置１の書画台１ａ上に載置された書類に動きがないものとして、上記ステップＴ１１での各種画像処理を施した静止画像の投影表示状態を維持したまま、上記ステップＴ１２〜Ｔ１５の処理を繰返し実行することで、書画台１ａ上に何らかの変化が生じるのを待機する。
【０１０７】
その後、書画台１ａ上から書類がなくなると、その過程で画像に変化が見られるものと上記ステップＴ１５で判断し、その時点での今回モニタ画像記憶部Ａ２に記憶したモニタ画像をデータプロジェクタ装置３で投影表示させた後に（ステップＴ１６）、再び上記ステップＴ０２からの処理に戻る。
【０１０８】
しかして、そのまま書画台１ａ上に何も書類が載置されないと、再び上記ステップＴ０２〜Ｔ１０，Ｔ１７，Ｔ１８の処理を繰返し実行し、何も書類が載置されない状態をタイマＡ８により計時していく。
【０１０９】
このとき、出力画像記憶部Ａ７の内容はその時点で今回モニタ画像記憶部Ａ２に保存される、何も載置されていない書画台１ａの画像である。
【０１１０】
そして、タイマＡ８の計時値が予め設定した値、例えば１２０［秒］以上となると、ステップＴ１８でこれを判断し、それまでの何も書類が載置されていない書画台１ａの画像に基づく投影表示を一時停止させ、代わって全面黒色の画像を投影表示させるべくそのＲＧＢビデオ信号をデータプロジェクタ装置３へ出力すると共に、フラグレジスタＡ９にフラグ“１”をセットし（ステップＴ１９）、その後に上記ステップＴ０２に戻る。
【０１１１】
このときデータプロジェクタ装置３では、入力されるＲＧＢビデオ信号によりマイクロミラー素子５７を表示駆動するものの、実際にはＲＧＢ各色成分ともその表示階調は全面で「０（ゼロ）」であり、光源ランプ５９からの照射光を投影レンズ６３に出射しないように反射させるため、投影レンズ６３からは一切、光像が出射されることはなく、当然ながら図示しないスクリーン上は全面に何も投影されない。
【０１１２】
このように、スルー表示モードであっても、何も書類等が載置されていない書画台１ａの画像が投影されてしまう時間を計時して、所定時間を経過した場合にはそれ以上不必要な画像が投影されてしまうのを停止し、代わって予め用意した画像信号を出力させるようにしたもので、その時点で必要とされる投影動作に柔軟に対応し、本来のプレゼンテーションや会議等の集中を削いでしまうのを確実に防止することができる。
【０１１３】
ここでも、上記投影表示を一時的に停止する状態では、全面黒色の表示を行なったが、これに代えて、例えば予め設定した静止画像、例えばプレゼンテーションで客先の会社名のロゴ画像等を表示するものとしてもよい。
【０１１４】
しかしながら、あえて全面黒色の画像を表示するものとしたことで、見かけ上はデータプロジェクタ装置３の投影動作自体が停止することにより、その時点での人々の注意を不要に投影内容に向けてしまうのを確実に防止できる。
【０１１５】
加えて、黒色画像の投影動作によりマイクロミラー素子５７での表示駆動、光源ランプ５９の発光等の動作は継続して実行されるため、必要に応じて投影動作を再開する場合には即時復帰することができる。
【０１１６】
また、ＰＣ２とデータプロジェクタ装置３をさらにＵＳＢケーブルで接続し、ＰＣ２からデータプロジェクタ装置３の制御ができるようにすれば、全面黒色の画像を投影表示させた後、さらにタイマＡ８で計時を行ない、タイマＡ８の計時値が予め設定した値、例えば１８０［秒］以上となった場合は、データプロジェクタ３の光源ランプ５９を消灯させるようにしてもよい。このように一定時間経過後に消灯することで非常に高価な光源ランプ５９の寿命を長くすることができる。
【０１１７】
なお、上記実施の形態では、図７及び図８に示した処理をＰＣ２にインストールした書画カメラ用ドライバプログラムＤＰに基づいて実行するものとして説明したが、本発明はこれに限らず、上述した処理を実行するハードウェア回路を書画カメラ装置１またはデータプロジェクタ装置３のいずれかに固定的に設けるものとしてもよく、そうすることでＰＣ２の存在を省略し、書画カメラ装置１とデータプロジェクタ装置３を直接接続して、同様の動作を実行することができる。
【０１１８】
その場合、図７に示した静止表示モードと図８に示したスルー表示モードの切換えは書画カメラ装置１またはデータプロジェクタ装置３に設けられるスイッチによりユーザが手動で切換設定するものとすればよい。
【０１１９】
その他、本発明は上記実施の形態に限らず、その要旨を逸脱しない範囲内で種々変形して実施することが可能であるものとする。
【０１２０】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１２１】
【図１】本発明の実施の一形態に係るシステム全体の接続構成を示す図。
【図２】同実施の形態に係る書画カメラ装置の機能回路構成を示すブロック図。
【図３】同実施の形態に係るパーソナルコンピュータの回路構成を示すブロック図。
【図４】同実施の形態に係るデータプロジェクタ装置の機能回路構成を示すブロック図。
【図５】同実施の形態に係る書画カメラ用ドライバプログラムの機能構成を示すブロック図。
【図６】同実施の形態に係る書画カメラ用ドライバプログラムの環境設定画面を例示する図。
【図７】同実施の形態に係る静止表示モードでの処理内容を示すフローチャート。
【図８】同実施の形態に係るスルー表示モードでの処理内容を示すフローチャート。
【符号の説明】
【０１２２】
１…書画カメラ装置、１ａ…書画台、２…パーソナルコンピュータ（ＰＣ）、３…データプロジェクタ装置、４…ＵＳＢケーブル、５…ＲＧＢケーブル、６…ＣＤ−ＲＯＭ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース、２１…ＤＲＡＭ、２２…制御部、２３…ＵＳＢインタフェース（Ｉ／Ｆ）、２４…キー入力部、３１…ＣＰＵ、３２…ノースブリッジ、３３…メインメモリ、３４…グラフィックコントローラ、３５…グラフィックメモリ、３６…サウスブリッジ、３７…ＰＣＩバス、３８…キーボード／マウス、３９…ビデオエンコーダ、４０…ＵＳＢインタフェース（Ｉ／Ｆ）、４１…マルチＣＤドライブ、４２…ハードディスク装置（ＨＤＤ）、５１…入出力コネクタ部、５２…入出力インタフェース（Ｉ／Ｆ）、５３…画像変換部、５４…投影エンコーダ、５５…ビデオＲＡＭ、５６…投影駆動部、５７…マイクロミラー素子、５８…リフレクタ、５９…光源ランプ、６０…カラーホイール、６１…インテグレータ、６２…ミラー、６３…投影レンズ、６４…モータ（Ｍ）、６５…投影光処理部、６６…制御部、６７…音声処理部、６８…スピーカ、６９…キースイッチ部、７０…Ｉｒ受信部、Ａ１…前回モニタ画像記憶部、Ａ２…今回モニタ画像記憶部、Ａ３…書画台画像記憶部、Ａ４…画像ファイル履歴記憶部、Ａ５…画像処理履歴記憶部、Ａ６…画像処理部、Ａ６ａ…歪み補正部、Ａ６ｂ…輪郭抽出部、Ａ６ｃ…アフィン変換部、Ａ６ｄ…切抜き部、Ａ６ｅ…鮮明化部、Ａ７…出力画像記憶部、Ａ８…タイマ、Ａ９…フラグレジスタ、ＡＧＰ…グラフィクスインタフェース、ＤＰ…書画カメラ用ドライバプログラム、ＦＳＢ…フロントサイドバス、ＭＢ…メモリバス、ＳＢ…システムバス。
【図１】
2006165905.tif 000003
【図２】
2006165905.tif 000004
【図３】
2006165905.tif 000005
【図４】
2006165905.tif 000006
【図５】
2006165905.tif 000007
【図６】
2006165905.tif 000008
【図７】
2006165905.tif 000009
【図８】
2006165905.tif 000010